(57)【要約】【課題】  腹側部へのファスニングテープの止着により、着用者の背側に対して良好なフィット性が得られると共に、着用中、その良好なフィット性が安定に維持される使い捨ておむつを提供することを提供すること。【解決手段】  ファスニングテープ６を有する使い捨ておむつ１であり、ファスニングテープ６は、その突出方向の基端部６ｂから先端部６ａに向かうに連れて股下部Ｃから遠ざかるように、本体５の幅方向に延びる直線ＷＬに対して傾斜しており、且つ腹側部Ａの外面に着脱自在に止着可能な止着部６１を有しており、本体５の両側部それぞれに、弾性伸縮部材１０，１０を、それぞれの伸縮方向を本体５の幅方向に延びる直線ＷＬに対して傾斜させ、かつ前記ファスニングテープ６と一直線上に並ぶように、配設してある。【選択図】    図１
2006246999.tif 000002
【特許請求の範囲】
【請求項１】
腹側部、背側部、及び該腹側部と該背側部との間に位置する股下部を有する本体と、該本体の前記背側部における両側縁部に設けられたファスニングテープとを有する使い捨ておむつであって、
前記ファスニングテープは、その突出方向の基端部から先端部に向かうに連れて前記股下部から遠ざかるように、該本体の幅方向に延びる直線に対して傾斜しており、且つ前記腹側部の外面に着脱自在に止着可能な止着部を有しており、
前記本体の両側部それぞれに、弾性伸縮部材を、それぞれの伸縮方向を前記本体の幅方向に延びる直線に対して傾斜させ、かつ前記ファスニングテープと一直線上に並ぶように、配設してある使い捨ておむつ。
【請求項２】
前記弾性伸縮部材は、複数本の弾性部材をシート間に伸張状態で固定してなる請求項１記載の使い捨ておむつ。
【請求項３】
前記ファスニングテープ及び／又は該ファスニングテープを止着する被止着部に、該ファスニングテープを、前記腹側部における前記本体の幅方向に延びる直線と平行に止着するのを容易とする止着手段が設けられている請求項１又は２記載の使い捨ておむつ。
【発明の詳細な説明】
【技術分野】
【０００１】
本発明は、使い捨ておむつに関する。
【背景技術】
【０００２】
一般に、ファスニングテープを有する展開型の使い捨ておむつは良く知られている。この様な使い捨ておむつにおいては、従来、背側部のウエスト部に、使い捨ておむつの幅方向の所定の長さに亘って弾性部材を配設することが行われている。この様な従来の使い捨ておむつにおいては、背側部のウエスト部が上記の弾性部材によって腰回り方向に伸縮されて着用者に良好にフィットし、背側部からの漏れが回避される。
【０００３】
しかし、この様な従来の使い捨ておむつにおいても、まだウエスト部からの漏れが十分に回避できずに漏れが発生する場合があった。
特許文献１には、ファスニングテープを、本体の横方向軸に対して所定の角度をもって、該本体に斜めに取り付けた使い捨ておむつが提案されている。
【０００４】
【特許文献１】実開昭５９−７３３０５号公報
【発明の開示】
【発明が解決しようとする課題】
【０００５】
しかし、特許文献１記載の使い捨ておむつにおいては、着用時に背側部がずり落ち易く、背側部の良好なフィット性が安定に維持されにくいという問題がある。
【０００６】
従って、本発明の目的は、腹側部へのファスニングテープの止着により、着用者の背側に対して良好なフィット性が得られると共に、着用中、その良好なフィット性が安定に維持される使い捨ておむつを提供することにある。
【課題を解決するための手段】
【０００７】
本発明は、腹側部、背側部、及び該腹側部と該背側部との間に位置する股下部を有する本体と、該本体の前記背側部における両側縁部に設けられたファスニングテープとを有する使い捨ておむつであって、前記ファスニングテープは、その突出方向の基端部から先端部に向かうに連れて前記股下部から遠ざかるように、該本体の幅方向に延びる直線に対して傾斜しており、且つ前記腹側部の外面に着脱自在に止着可能な止着部を有しており、前記本体の両側部それぞれに、弾性伸縮部材を、それぞれの伸縮方向を前記本体の幅方向に延びる直線に対して傾斜させ、かつ前記ファスニングテープと一直線上に並ぶように、配設してある使い捨ておむつを提供することにより前記目的を達成したものである。
【発明の効果】
【０００８】
本発明の使い捨ておむつは、腹側部へのファスニングテープの止着により、着用者の背側に対して良好なフィット性が得られると共に、着用中、その良好なフィット性が安定に維持されるものである。
【発明を実施するための最良の形態】
【０００９】
以下、本発明を、その好ましい一実施形態に基づいて詳細に説明する。
本発明の一実施形態としての使い捨ておむつ１（以下、おむつ１という）は、図１に示すように、着用時に着用者の腹側に位置する腹側部Ａ、背側に位置する背側部Ｂ、及び該腹側部と該背側部との間に位置する股下部Ｃを有する本体５と、該本体５の背側部Ｂにおける左右両側縁部に連設された左右一対のファスニングテープ６，６とを有する、いわゆる展開型のおむつである。
【００１０】
本体５は、液透過性の表面シート２、液不透過性又は撥水性の裏面シート３、及びこれら両シート間に介在された液保持性の吸収体４が一体化されたものを有する構成とし、更に、立体ガード形成用シート７，７を、表面シート２の両側部にそれぞれ一部を重ねるようにして配設してなる。
立体ガード形成用シート７は、長手方向の両端部及び幅方向の外方側の所定幅の領域が、表面シート２及び／又は裏面シート３に固定されている。立体ガード形成用シート７は、本体５の横方向（Ｘ方向）中央部側の端縁近傍に、立体ガード形成用の弾性部材（図示せず）を有しており、着用時には、その弾性部材の収縮力により、該端縁から所定幅の部分が表面シート２から離間して立体ガードを形成する。
【００１１】
本体５は、図１に示す如く、長手方向中央部の両側に凹欠部を有しており、長手方向の両端部において長手方向中央部におけるよりもその幅が広くなっている。本体５における、着用時に着用者の脚周りに配されるレッグ部８には、該レッグ部８を着用者にフィットさせるための脚周り弾性部材８１が、本体５の長手方向に沿って配されている。
【００１２】
本おむつ１における各ファスニングテープ６は、図１に示すように、その突出方向の基端部６ｂから先端部６ａに向かうに連れて股下部Ｃから遠ざかるように、該本体５の幅方向に延びる直線ＷＬに対して傾斜している。
【００１３】
各ファスニングテープ６の止着部６１は、多数の係合用突起を有する機械的面ファスナーのオス部材からなる。本おむつ１における腹側部Ａの外面には、機械的面ファスナーのメス部材が配されていて、ファスニングテープ６を止着する被止着部９が形成されている。ここでいう、機械的面ファスナーのメス部材とは、機械的面ファスナーのオス部材を、押し付けにより係合させることができるものである。機械的面ファスナーのオス部材及びメス部材としては、従来公知のものを特に制限なく用いることができる。また、機械的面ファスナーのメス部材は、機械的面ファスナーのメス部材として市販されているトリコット編物等の編物の他、係合性に富む不織布（例えばスパンボンド不織布、エアスルー不織布等）等を用いることもできる。
【００１４】
本おむつ１においては、図１に示すように、本体５の長手方向の両側部それぞれに、弾性伸縮部材１０を、その伸縮方向を本体５の幅方向に延びる直線ＷＬに対して傾斜させ、かつ前記ファスニングテープ６と一直線上に並ぶように、配設してある。弾性伸縮部材１０の伸縮方向の傾斜方向は、おむつ１を平面状に拡げた状態（図１参照）において、本体５の幅方向中央部から幅方向両端部に向かうに連れて、股下部Ｃあるいは腹側部Ａから遠ざかる方向である。
【００１５】
弾性伸縮部材１０をファスニングテープ６と一直線上に並ぶように配設してあるとは、おむつ１を平面状に拡げた状態（図１参照）において、ファスニングテープ６を、その突出方向の前後に延長させて得られるファスニングテープと同じ幅の帯状領域と、弾性伸縮部材１０とが少なくとも一部において重なっていることをいう。また、図１に示すように、弾性伸縮部材１０の一部が、ファスニングテープ６の突出方向に延びる中央線の延長線ＣＬと重なるように配されていることがより好ましく、更に、弾性伸縮部材１０は、該弾性伸縮部材１０の伸縮方向の略中央線が、前記延長線ＣＬと重なっていることが最も好ましい。
【００１６】
弾性伸縮部材１０を構成するシート１２としては、不織布、樹脂フィルム、紙、及びこれらの２種以上の積層体等を用いることができる。
弾性伸縮部材１０を構成する個々の弾性部材１１の材料（弾性材料）としては、一般的によく知られたエラストマー樹脂を含む、糸状、紐状、帯状、網状、フォーム状等に成形（成型）された、ゴム弾性を有する材料を用いることができる。
【００１７】
本おむつ１における弾性伸縮部材１０は、本体５の幅方向において、表面シート２の両側縁それぞれより外方に位置する部分は、立体ガード形成用シート７と裏面シート３との間に、接着剤等を用いて固定されており、表面シート２の両側縁それぞれより内方に位置する部分は、裏面シート３と吸収体４との間、または、表面シート２と吸収体４との間に、接着剤等を用いて固定されている。
【００１８】
本おむつ１に用いた弾性伸縮部材１０の製造方法の一例を、図２を参照して説明する。
弾性伸縮部材１０を得るには、帯状のシート１２を、一方向に連続搬送しつつ、該シート１２に対して接着剤を塗工し（図示せず）、複数本の弾性部材１１を、該シート１２の接着剤塗工面に供給し、それらの弾性部材１１を挟み込むようにしてシート１２を二つ折りする。二つ折りした直後に、ニップロール等（図示せず）で加圧する。そして、得られた連続体１０’を、個々の弾性伸縮部材１０の寸法に切断する。尚、図２に示した製造方法のように、二つ折りした一枚のシートで、弾性部材１１を挟むのに代えて、別々に製造した２枚のシートで弾性部材１１を挟んでも良い。また、弾性部材固定用の接着剤は、弾性部材１１を挟む両側のシートの何れか一方に塗工しても良いし、双方に塗工しても良く、あるいは、弾性部材１１に塗工してもよい。
尚、本発明における弾性伸縮部材は、糸状、紐状、帯状、網状等の弾性部材そのものであっても良いが、とくに弾性材料からなる糸状弾性部材を複数本用いる場合には、非弾性材料からなるシート間に伸張状態で固定して複合体として用いると製造工程の簡易化が可能となる。
【００１９】
本おむつ１によれば、ファスニングテープ６が、上述の如く、本体５の幅方向に延びる直線ＷＬに対して傾斜しているため、ファスニングテープ６を、腹側部Ａにおける本体５の幅方向に延びる直線ＡＬと平行となるようにして、腹側部Ａの外面に止着するのみで、着用者の背側に対して良好なフィット性が得られる。即ち、図３に示すように、おむつ１の着用時に、本体５の背側部Ｂ側の端縁５１は、背側部Ｂの両側部におけるよりも背側部Ｂの中央部において高くに位置し、着用者の臀部の上方まで包み込むように背側部Ｂが装着されるとともに、着用者の腰の辺りに存在するやや窪んだ部分に沿って、背側部Ｂが良好にフィットする。そのため、本実施形態のおむつ１においては、背側部Ｂのウエスト部５２に、着用者の胴回り方向に延びる弾性部材が配されていないが、着用者の背側に良好なフィット性が得られる。本実施形態のおむつ１においては、そのような弾性部材の省略により、製造工程の簡易化や製造コストの削減等を図ることができる。尚、ここでいう、背側部Ｂのウエスト部５２とは、本体５の背側部Ｂ側の端縁５１と、吸収体４の背側部Ｂ側の端縁４１の位置との間の領域５２（図１参照）である。
【００２０】
しかも、本おむつ１においては、ファスニングテープ６を、腹側部Ａにおける本体５の幅方向に延びる直線ＡＬ（図１及び図３参照）と平行となるようにして、腹側部Ａの外面に止着したときに、図３に示すように、弾性伸縮部材１０がファスニングテープ６と同じ高さに位置し、左右の両弾性伸縮部材１０，１０によって、着用者の周囲を、その高さ位置において締め付ける環状の締め付け領域Ｄが形成される。望ましい装着状態においては、図３において、一方のファスニングテープ６、一方の弾性伸縮部材１０、他方の弾性伸縮部材及び他方のファスニングテープが、概ね同じ高さ位置において、着用者の胴回り方向に直列に並んでいる。
【００２１】
このような、締め付け領域Ｄが形成されることで、本おむつ１においては、背側部Ｂのウエスト部５２に弾性部材を配する場合に比べて、背側部Ｂ、特にウエスト部５２のずり落ちを軽減することができる。これにより、着用者の背側に対する良好なフィット性が、着用中、安定に維持される。
【００２２】
着用者の背側に対するフィット性を高める観点から、ファスニングテープ６の突出方向の中心線ＣＬと、おむつの横方向に延びる直線ＷＬとのなす角度θ１（図１参照）は、１〜４５度であることが好ましく、１０〜２０度であることがより好ましい。
また、背側部Ｂ、特にウエスト部５２のずり落ちを防止する観点から、弾性伸縮部材１０の伸縮方向Ｌ７と、おむつの横方向に延びる直線ＷＬとのなす角度θ２（図１参照）は、１〜４５度であることが好ましく、１０〜２０度であることがより好ましい。
角度θ２と角度θ１とは、着用状態において、ファスニングテープ６と弾性伸縮部材１０とを、概ね同じ高さ位置に直列に配置させるために、概ね同じ角度であることが好ましい。装着者の体型や装着する際の操作により、具体的には、角度θ２と角度θ１との差の絶対値は、１０度以下であることが好ましく、５度以下であることがより好ましい。
【００２３】
次に、本発明の他の実施形態について説明する。以下の説明においては、上述したおむつ１と異なる点について説明し、同様の構成については、説明を省略する。特に説明しない点は、おむつ１について上述した説明が適用される。
【００２４】
図４（ｃ）に示す実施形態のおむつ１Ａにおいては、図４（ａ）に示すような、一本の長めの帯状の弾性伸縮部材１０Ａを、図４（ｂ）に示すように、長手方向の中央部付近で折り曲げて得られた略Ｖ字状の弾性伸縮部材とし、それを、おむつ１Ａの背側部に配してある。おむつ１Ａにおける略Ｖ字状の弾性伸縮部材は、中央部付近を境にして、その両側に位置する部分１０，１０が、上述したおむつ１における左右の弾性伸縮部材と同様に機能する。
【００２５】
図５（ｂ）に示す実施形態のおむつ１Ｂにおいては、図５（ａ）に示した、複数本の弾性部材１１を、シート間に伸張状態にて固定してなる帯状の弾性伸縮部材１０Ｂであって、弾性伸縮部材１０Ｂの長手方向中央部付近から両端部それぞれに向かって、弾性部材同士間の間隔が漸次拡大している弾性伸縮部材１０Ｂを、おむつ１Ｂの背側部に配してある。おむつ１Ｂにおける弾性伸縮部材１０Ｂは、中央部付近を境にして、その両側に位置する部分１０，１０が、上述したおむつ１における左右の弾性伸縮部材と同様に機能する。
【００２６】
おむつ１Ｂで用いた弾性伸縮部材１０Ｂは、次のようにして得られる。即ち、図５（ａ）に示すように、帯状のシート１２を、一方向に連続搬送しつつ、該シート１２に対して接着剤を塗工し（図示せず）、該シート１２の接着剤塗工面に複数本の弾性部材１１を供給し、それらの弾性部材１１を、押圧手段１５により間隔を増減調節しながら二つ折りしたシート１２間に挟み込み、弾性部材１１を挟み込んだシートをニップロール等で加圧する。そして、このようにして得られた弾性伸縮部材の連続体１０Ｂ’を、個々の弾性伸縮部材１０Ｂの寸法に切断する。押圧手段１５としては、複数本の弾性部材を纏めて押圧可能な押圧部１５ａを先端に有する、油圧式や機械式等のシリンダー等を用いることができる。図５（ａ）中、符号１６は、押圧部１５ａの進退に伴う弾性部材の幅方向のずれを上流に及ぼさないようにする固定式ガイドである。押圧部１５ａを周期的に進退を繰り返すように制御して、該押圧部１５ａで、ガイド１６と弾性部材のシート間への挟み込み部位との間において、複数の弾性部材１１を押圧することによって、弾性部材１１の間隔が周期的に変動した上記の連続体１０Ｂ’を得ることができる。
【００２７】
図６（ｄ）に示す実施形態のおむつ１Ｃにおいては、図６（ｂ）に示すように、複数本の弾性部材１１を、シート間に伸張状態にて固定してなる帯状の弾性伸縮部材１０Ｃであって、弾性伸縮部材１０Ｃの長手方向中央部付近から両端部それぞれに向かって、弾性部材同士間の間隔が漸次拡大している弾性伸縮部材１０Ｃを、図６（ｃ）に示すように、長手方向中央部に全幅に亘らないように入れたスリット１３を拡げることによってＶ字状とし、それを、おむつ１Ｂの背側部に配してある。おむつ１Ｃにおける略Ｖ字状の弾性伸縮部材１０Ｃは、中央部付近を境にして、その両側に位置する部分１０，１０が、上述したおむつ１における左右の弾性伸縮部材と同様に機能する。
【００２８】
おむつ１Ｃで用いた弾性伸縮部材１０Ｃは、図６（ａ）に示すように、１０Ｂと同様の工程により得られた、個々の弾性伸縮部材１０Ｃの中央部にスリット１３を形成して得られる。但し、図５（ａ）に示す前記弾性伸縮部材１０Ｂを得る工程に比較して、弾性伸縮部材１０Ｃを得る工程では、帯状のシート１２の折り込み方向、ならびに、押圧手段１５の押圧方向が、該シートの流れ方向を軸として対称となる。
【００２９】
本発明においては、ファスニングテープ６を、腹側部Ａにおける本体５の幅方向に延びる直線ＡＬと平行になるようにして、腹側部Ａの外面に止着することが好ましい。
装着者が、確実に、そのような態様の止着を行うことができるようにする観点から、ファスニングテープ６及び／又はファスニングテープ６を止着する被止着部９に、該ファスニングテープを、腹側部Ａにおける、本体５の幅方向に延びる直線ＡＬと平行に止着するのを容易とする止着手段を設けることが好ましい。
【００３０】
前記止着手段の具体的な態様としては、以下のような態様が挙げられる。
図７（ａ）に示すように、ファスニングテープ６に、その中心線ＣＬに対して平行に絵柄や文字を印刷する態様である。これにより、装着者に絵柄や文字を被止着部９と平行にするよう意識させることができ、ファスニングテープ６を、確実に、前記直線ＡＬと平行に止着させることができる。
図７（ｂ）に示すように、ファスニングテープ６を平行四辺形状に形成すると共に被止着部９に目印線を傾斜させて印刷する態様である。これにより、装着者にファスニングテープ６の先端縁と目印線とを平行にするよう意識させることができ、ファスニングテープ６を、確実に、前記直線ＡＬと平行に止着させることができる。
図７（ｃ）に示すように、ファスニングテープ６に、その中心線ＣＬに対して平行に線（色分けの境界線やドットを列状に配置した非連続線を含む）を印刷すると共に、被止着部９にも直線ＡＬに対して平行に目印線を印刷する態様である。これにより、装着者にファスニングテープ６の線と、被止着部９の目印線とを平行にするよう意識させることができ、ファスニングテープ６を、確実に、前記直線ＡＬと平行に止着させることができる。
図７（ｄ）に示すように、ファスニングテープ６の先端縁６ａを、該ファスニングテープの中心線に対して直交するように形成すると共に、被止着部９に本体５の縦方向に延びる線（色分けの境界線やドットを列状に配置した非連続線を含む）を印刷する態様。これにより、装着者にファスニングテープ６の長手方向（突出方向）の先端縁と被止着部９の線とを平行にするよう意識させることができ、ファスニングテープ６を、確実に、前記直線ＡＬと平行に止着させることができる。
図７（ｅ）に示すように、被止着部９の着色領域９１あるいは２本の線で挟まれた領域を細幅（ファスニングテープの幅と略同一）に形成する態様。これにより、装着者にファスニングテープ６をそれらの領域と平行にするよう意識させることができ、ファスニングテープ６を、確実に、前記直線ＡＬと平行に止着させることができる。
図７（ｆ）に示すように、被止着部９自体をファスニングテープの幅と略同一に形成する態様。これにより、装着者にファスニングテープ６を該被止着部９と平行にするよう意識させることができ、ファスニングテープ６を、確実に、前記直線ＡＬと平行に止着させることができる。
【００３１】
本おむつ１においては、本体５の背側部Ｂにおける側縁５３は、図１に示すように、おむつ横方向に延びる直線ＷＬに対して略直角をなしている。そのため、図３に示すように、背側部Ｂにおける側縁５３は、おむつ着用時に、その上端部側がその下端側より前方に位置するように傾斜し、それにより、脚周りの締め付け力が強くなりすぎるのを防止しながら、着用者の腰回りに良好なフィット性を得ることができる。このような観点から、背側部Ｂの端縁５１から、ファスニングテープ中央線ＣＬと背側部Ｂにおける側縁５３との交点６９までの、側縁５３に沿って測定した長さＨ（図１参照）が、２〜６ｃｍであることが好ましく、３〜５ｃｍであることがより好ましい。尚、本明細書において、「本体の背側部における側縁」には、本体５の前記凹欠部における側縁は含めない。
【００３２】
おむつ１における各部の形成材料について説明する。
表面シート２、裏面シート３、吸収体４、立体ガード形成用シート７、脚周り弾性部材８１等の形成材料としては、従来の吸収性物品において、それらの材料として用いられている各種公知の材料を特に制限なく用いることができる。例えば、表面シート２としては、不織布や開孔フィルム等の各種液透過性のシート材を用いることができ、裏面シート３としては、透湿性を有しない樹脂フィルムや、微細孔を有し、透湿性を有する樹脂フィルム、撥水不織布等の不織布、これらと他のシートとのラミネート体等を用いることができ、吸収体４としては、解繊パルプ、親水性長繊維（例えば、アセテートトウ）、レーヨン等の親水性繊維からなる繊維集合体又はこれに高吸収性ポリマーを保持させたもの等を用いることができる。
【００３３】
以上、本発明の好ましい実施形態について説明したが、本発明は、上述した実施形態に制限されず、本発明の趣旨を逸脱しない範囲で種々変更が可能である。
例えば、弾性伸縮部材１０の吸収体４と重なる部分は、吸収体４と表面シート２との間に代えて、吸収体４と裏面シート３との間に配されていても良い。
【図面の簡単な説明】
【００３４】
【図１】本発明の一実施形態としての使い捨ておむつを平面状に拡げた状態を示す一部破断平面図である。
【図２】図１に示すおむつに用いた弾性伸縮部材を製造する方法の一例を示す説明図である。
【図３】図１に示すおむつを着用者が着用した状態を示す図である。
【図４】本発明の他の実施形態のおむつ示す図で、（ａ）は、本体の左右に配される弾性伸縮部材が連なった構成の弾性伸縮部材、（ｂ）は、（ａ）に示した弾性伸縮部材をＶ字状に折り曲げた状態、（ｃ）はＶ字状に折り曲げた弾性伸縮部材をおむつに組み込んだ状態を示す図である。
【図５】本発明の更に他の実施形態のおむつ示す図で、（ａ）は、本体の左右に配される弾性伸縮部材が連なった構成の弾性伸縮部材及びその製造方法、（ｂ）は、（ａ）に示した弾性伸縮部材をおむつに組み込んだ状態を示す図である。
【図６】本発明の更に他の実施形態のおむつ示す図で、（ｂ）は、本体の左右に配される弾性伸縮部材が連なった構成の弾性伸縮部材、（ａ）は、（ｂ）に示した弾性伸縮部材の製造方法、（ｃ）は、（ｂ）に示した弾性伸縮部材をスリットを介してＶ字状に折り曲げた状態、（ｃ）はＶ字状に折り曲げた弾性伸縮部材をおむつに組み込んだ状態を示す図である。
【図７】本発明の他の実施形態の要部を示す図で、一方のファスニングテープを左側、両ファスニングテープを被止着部に止着した状態を右側に示す。
【符号の説明】
【００３５】
１    使い捨ておむつ
２    表面シート
３    裏面シート
４    吸収体
６    ファスニングテープ
９    被止着部
１０    弾性伸縮部材
１１    弾性伸縮部材を構成する弾性部材
１２    弾性伸縮部材を構成するシート材
ＡＬ  腹側部における、本体の横方向に延びる直線
ＷＬ  本体の横方向に延びる直線
【図１】
2006246999.tif 000003
【図２】
2006246999.tif 000004
【図３】
2006246999.tif 000005
【図４】
2006246999.tif 000006
【図５】
2006246999.tif 000007
【図６】
2006246999.tif 000008
【図７】
2006246999.tif 000009